(57)【要約】  本発明の実施例は、情報処理方法及び関連製品を提供し、前記方法は、ユーザ機器がＮとＭとのマッピング関係を取得し、前記Ｎはセル品質を取得するための最大ビーム数であり、前記Ｍは前記ネットワーク機器により実際に送信されるビーム数であるステップと、前記ユーザ機器が前記ＮとＭとのマッピング関係及び／又は前記Ｍに基づいて前記Ｎを決定するステップと、を含む。本発明の実施例によれば、測定されるビーム数を決定することができる。
2020528676.tif 000002
【特許請求の範囲】
【請求項１】
ユーザ機器がＮとＭとのマッピング関係を取得し、前記Ｎはセル品質を取得するための最大ビーム数であり、前記Ｍはネットワーク機器により実際に送信されるビーム数であるステップと、
前記ユーザ機器が前記ＮとＭとのマッピング関係及び／又は前記Ｍに基づいて前記Ｎを決定するステップと、を含む
ことを特徴とする情報処理方法。
【請求項２】
前記ユーザ機器がＮとＭとのマッピング関係を取得するステップは、
前記ユーザ機器が前記ネットワーク機器からのブロードキャスト情報又は専用シグナリングを受信し、前記ブロードキャスト情報又は前記専用シグナリングに前記ＮとＭとのマッピング関係が含まれているステップを含む
ことを特徴とする請求項１に記載の方法。
【請求項３】
前記ユーザ機器が前記ネットワーク機器からのシステム情報を受信し、前記Ｍは前記システム情報内に含まれるステップをさらに含む
ことを特徴とする請求項１又は２に記載の方法。
【請求項４】
前記ユーザ機器が前記ネットワーク機器からの同期情報を受信し、前記Ｍは前記同期情報内に含まれるステップをさらに含む
ことを特徴とする請求項１又は２に記載の方法。
【請求項５】
前記Ｎが得られたことが決定された後、前記ユーザ機器によりセルのビームを測定し、及び最大Ｎ個のビームに対して平均化を行って、前記ネットワーク機器が位置しているセルの品質が得られ、前記最大Ｎ個のビームはいずれもビーム品質閾値を満足するビームであるステップをさらに含む
ことを特徴とする請求項４〜６のいずれか１項に記載の方法。
【請求項６】
前記ＮとＭとのマッピング関係は式であり、前記Ｎ＝Ｍ／Ｚであって、前記Ｚは１以上であり、前記Ｚは前記ネットワーク機器により構成されたものである
ことを特徴とする請求項１〜５のいずれか１項に記載の方法。
【請求項７】
前記ＮとＭとのマッピング関係が複数ある場合、前記ＮとＭとの各マッピング関係は少なくとも１つの期間に対応し、前記ＮとＭとのマッピング関係に対応する期間は前記ネットワーク機器により構成されたものである
ことを特徴とする請求項１〜６のいずれか１項に記載の方法。
【請求項８】
ネットワーク機器がＮとＭの間に構成されたマッピング関係を送信し、前記Ｎは測定されるビーム数であり、前記Ｍは前記ネットワーク機器により実際にサポートされるビーム数であり、前記ＮとＭとのマッピング関係は前記Ｎを決定するために使用されるステップを含む
ことを特徴とする情報処理方法。
【請求項９】
前記ネットワーク機器がＮとＭの間に構成されたマッピング関係を送信するステップは、
前記ネットワーク機器がブロードキャスト情報又は専用シグナリングを送信し、前記ブロードキャスト情報又は前記専用シグナリングに前記ＮとＭとのマッピング関係が含まれているステップを含む
ことを特徴とする請求項８に記載の方法。
【請求項１０】
前記ネットワーク機器がシステム情報を送信し、前記Ｍは前記システム情報内に含まれるステップをさらに含む
ことを特徴とする請求項８又は９に記載の方法。
【請求項１１】
前記ネットワーク機器が同期情報を送信し、前記Ｍは前記同期情報内に含まれるステップをさらに含む
ことを特徴とする請求項８又は９に記載の方法。
【請求項１２】
前記ＮとＭとのマッピング関係は式であり、前記Ｎ＝Ｍ／Ｚであって、前記Ｚは１以上であり、前記Ｚは前記ネットワーク機器により構成されたものである
ことを特徴とする請求項８〜１１のいずれか１項に記載の方法。
【請求項１３】
前記ＮとＭとのマッピング関係が複数ある場合、前記ＮとＭとの各マッピング関係は少なくとも１つの期間に対応し、前記ＮとＭとのマッピング関係に対応する期間は前記ネットワーク機器により構成されたものである
ことを特徴とする請求項８〜１２のいずれか１項に記載の方法。
【請求項１４】
処理ユニットを備え、ここで、
前記処理ユニットは、ＮとＭとのマッピング関係を取得するために使用され、前記Ｎはセル品質を取得するための最大ビーム数であり、前記Ｍは前記ネットワーク機器により実際に送信されるビーム数であり、前記ＮとＭとのマッピング関係及び／又は前記Ｍに基づいて前記Ｎを決定するために使用される
ことを特徴とするユーザ機器。
【請求項１５】
通信ユニット及び処理ユニットを備え、ここで、
前記処理ユニットは、前記通信ユニットによってＮとＭの間に構成されたマッピング関係を送信するために使用され、前記Ｎは測定されるビーム数であり、前記Ｍは前記ネットワーク機器により実際にサポートされるビーム数であり、前記ＮとＭとのマッピング関係は前記Ｎを決定するために使用される
ことを特徴とするネットワーク機器。
【請求項１６】
１つ又は複数のプロセッサーと、１つ又は複数のメモリと、１つ又は複数の送受信機と、１つ又は複数のプログラムと、を備え、
前記１つ又は複数のプログラムは、前記メモリに格納され、前記１つ又は複数のプロセッサーにより実行されるように構成され、
前記プログラムは、請求項１〜７のいずれか１項に記載の方法におけるステップを実行するための命令を含む
ことを特徴とするユーザ機器。
【請求項１７】
１つ又は複数のプロセッサーと、１つ又は複数のメモリと、１つ又は複数の送受信機と、１つ又は複数のプログラムと、を備え、
前記１つ又は複数のプログラムは、前記メモリに格納され、前記１つ又は複数のプロセッサーにより実行されるように構成され、
前記プログラムは、請求項８〜１３のいずれか１項に記載の方法におけるステップを実行するための命令を含む
ことを特徴とするネットワーク機器。
【請求項１８】
電子データ交換のためのコンピュータプログラムが格納され、ここで、前記コンピュータプログラムは、コンピュータに請求項１〜７のいずれか１項に記載の方法を実行させる
ことを特徴とするコンピュータ読み取り可能な記録媒体。
【請求項１９】
電子データ交換のためのコンピュータプログラムが格納され、ここで、前記コンピュータプログラムは、コンピュータに請求項８〜１３のいずれか１項に記載の方法を実行させる
ことを特徴とするコンピュータ読み取り可能な記録媒体。
【発明の詳細な説明】
【技術分野】
【０００１】
本発明は、通信技術分野に関し、具体的に、情報処理方法及び関連製品に関する。
【背景技術】
【０００２】
第５世代のモバイル通信技術（５−Ｇｅｎｅｒａｔｉｏｎ，５Ｇ）又は新無線（Ｎｅｗ  Ｒａｔｉｏ，ＮＲ）では、ビームの導入が増えるため、従来のセルのビームがユーザ機器（Ｕｓｅｒ  Ｅｑｕｉｐｍｅｎｔ，ＵＥ）に見えない状況が改変された。５Ｇ又はＮＲでは、ＵＥは、自身が常駐又はサービスしているセルを区別するだけでなく、自身が常駐又はサービスしているビームも区別することができる。
【０００３】
自セル又は隣接セルのビーム測定を行うとき、測定されるビーム数Ｎはネットワークを介してＵＥに構成される。現在の標準プロトコルでは、セル品質（セル信号強度及びセル信号品質を含む）を取得するには、ＵＥがＮ個のビームに対して平均化を行う必要があり、このＮ個のビームの品質はいずれも１つの閾値より大きいと規定されている。しかしながら、異なる周波数帯域のセル、ひいては同じ周波数帯域の異なるセル間のビーム数が異なるため、測定されるビーム数を全てのセルに対して統一的に構成することができない。したがって、測定されるビーム数を決定することが解決すべき技術的問題である。
【発明の概要】
【発明が解決しようとする課題】
【０００４】
本発明の実施例は、測定されるビーム数を決定するための情報処理方法及び関連製品を提供する。
【課題を解決するための手段】
【０００５】
第１の態様によれば、本発明の実施例は、
ユーザ機器がＮとＭとのマッピング関係を取得し、前記Ｎはセル品質を取得するための最大ビーム数であり、前記Ｍは前記ネットワーク機器により実際に送信されるビーム数であるステップと、
前記ユーザ機器が前記ＮとＭとのマッピング関係及び／又は前記Ｍに基づいて前記Ｎを決定するステップと、を含む
情報処理方法を提供する。
【０００６】
第２の態様によれば、本発明の実施例は、
ネットワーク機器がＮとＭの間に構成されたマッピング関係を送信し、前記Ｎは測定されるビーム数であり、前記Ｍは前記ネットワーク機器により実際にサポートされるビーム数であり、前記ＮとＭとのマッピング関係は前記Ｎを決定するために使用されるステップを含む
情報処理方法を提供する。
【０００７】
第３の態様によれば、本発明の実施例は、処理ユニットを備えるユーザ機器を提供し、ここで、
前記処理ユニットは、ＮとＭとのマッピング関係を取得し、前記Ｎはセル品質を取得するための最大ビーム数であり、前記Ｍは前記ネットワーク機器により実際に送信されるビーム数であり、前記ＮとＭとのマッピング関係及び／又は前記Ｍに基づいて前記Ｎを決定するために使用される。
【０００８】
第４の態様によれば、本発明の実施例は、通信ユニット及び処理ユニットを備えるネットワーク機器を提供し、ここで、
前記処理ユニットは、前記通信ユニットを介してＮとＭの間に構成されたマッピング関係を送信するために使用され、前記Ｎは測定されるビーム数であり、前記Ｍは前記ネットワーク機器により実際にサポートされるビーム数であり、前記ＮとＭとのマッピング関係は前記Ｎを決定するために使用される。
【０００９】
第５の態様によれば、本発明の実施例は、１つ又は複数のプロセッサーと、１つ又は複数のメモリと、１つ又は複数の送受信機と、１つ又は複数のプログラムと、を備えるユーザ機器を提供し、
前記１つ又は複数のプログラムは、前記メモリに格納され、前記１つ又は複数のプロセッサーにより実行されるように構成され、
前記プログラムは、本発明の実施例の第１の態様に記載の方法におけるステップを実行するための命令を含む。
【００１０】
第６の態様によれば、本発明の実施例は、１つ又は複数のプロセッサーと、１つ又は複数のメモリと、１つ又は複数の送受信機と、１つ又は複数のプログラムと、を備えるネットワーク機器を提供し、
前記１つ又は複数のプログラムは、前記メモリに格納され、前記１つ又は複数のプロセッサーにより実行されるように構成され、
前記プログラムは、本発明の実施例の第２の態様に記載の方法におけるステップを実行するための命令を含む。
【００１１】
第７の態様によれば、本発明の実施例は、電子データ交換のためのコンピュータプログラムを格納するコンピュータ読み取り可能な記録媒体を提供し、ここで、前記コンピュータプログラムは、コンピュータに本発明の実施例の第１の態様に記載の方法を実行させる。
【００１２】
第８の態様によれば、本発明の実施例は、電子データ交換のためのコンピュータプログラムを格納するコンピュータ読み取り可能な記録媒体を提供し、ここで、前記コンピュータプログラムは、コンピュータに本発明の実施例の第２の態様に記載の方法を実行させる。
【００１３】
第９の態様によれば、本発明の実施例は、コンピュータプログラム製品を提供し、前記コンピュータプログラム製品は、コンピュータプログラムが格納された非一時的コンピュータ読み取り可能な記録媒体を含み、前記コンピュータプログラムは、コンピュータが本発明の実施例の第１の態様に記載の方法を実行するように動作することができる。
【００１４】
第１０の態様によれば、本発明の実施例は、コンピュータプログラム製品を提供し、前記コンピュータプログラム製品は、コンピュータプログラムが格納された非一時的コンピュータ読み取り可能な記録媒体を含み、前記コンピュータプログラムは、コンピュータが本発明の実施例の第２の態様に記載の方法を実行するように動作することができる。
【発明の効果】
【００１５】
これから分かるように、この案では、ＮとＭとのマッピング関係を予め構成し、Ｎはセル品質を取得するための最大ビーム数であり、Ｍはネットワーク機器により実際に送信されるビーム数であり、ユーザ機器は、このマッピング関係及び／又はＭに基づいてＮの値を決定することができ、さらに、Ｎ値を統一的に構成できない問題を解決した。
【００１６】
本出願のこれらおよび他の態様は、以下の実施形態の説明からより容易に明らかになるであろう。
【図面の簡単な説明】
【００１７】
以下、本発明の実施例における技術手段をさらに明瞭に説明するために、実施例の記載に使用する必要がある図面に対して簡単に紹介する。なお、以下の記載における図面は本発明の一部の実施例であり、当業者の場合、創造的な労働を付与しない前提で、これらの図面によって他の図面を得ることができる。
【図１】本発明の実施例に提供されるネットワークアーキテクチャの模式図である。
【図２】本発明の実施例に提供される情報処理方法のフロー模式図である。
【図３】本発明の実施例に提供されるユーザ機器の構造模式図である。
【図４】本発明の実施例に提供されるネットワーク機器の構造模式図である。
【図５】本発明の実施例に提供される別のユーザ機器の構造模式図である。
【図６】本発明の実施例に提供される別のネットワーク機器の構造模式図である。
【図７】本発明の実施例に提供される別のユーザ機器の構造模式図である。
【発明を実施するための形態】
【００１８】
当業者が本発明の技術手段をよりよく理解できるようにするために、以下は、本発明の実施例に係る図面を参考しながら、本発明の実施例に係る技術手段をより明確且つ完全に説明し、説明されている実施例は、ただ本発明の実施例の一部に過ぎず、全てではないことは明らかである。本発明の実施例に基づいて、当業者が創造的な労働を付与しない前提で得られた他の実施例の全ては、本発明の保護範囲に属する。
【００１９】
以下で、それぞれ詳細に説明する。
【００２０】
本発明の明細書及び特許請求の範囲、並びに前記図面における用語「第１」、「第２」、「第３」及び「第４」等は、異なる対象を区別するために使用され、特定の順序を説明するために使用されない。さらに、用語「含む」及び「有する」、並びにそれらの任意の変形は、非排他的な包含を網羅することを意図している。例えば、一連のステップ又はユニットのプロセス、方法、システム、製品又は機器が、列挙されているステップ又はユニットに限定されず、選択的に、列挙されていないステップ又はユニットをさらに含み、又は選択的に、これらのプロセス、方法、製品又は機器に固有の他のステップ又はユニットをさらに含むことが含まれる。
【００２１】
本明細書で言及される「実施例」は、実施例に関連して説明された特定の特徴、構造又は特性が、本発明の少なくとも１つの実施例に含まれうることを意味する。本明細書の各場所でのこのフレーズの出現は、必ずしも同じ実施例を指しているわけではなく、他の実施例と相互排他的な独立又は代替の実施例でもない。当業者であれば、本明細書に記載の実施例が、他の実施例と組み合わされうることを明示的に及び暗黙的に理解するであろう。
【００２２】
以下、図面に関連して本発明の実施例について説明する。
【００２３】
図１を参照すると、図１は、本発明の実施例に開示されるネットワークアーキテクチャの模式図である。図１に示すネットワークアーキテクチャは、ユーザ機器１１０及びネットワーク機器１２０を含む。ネットワーク機器１２０は、サービングセルのネットワーク機器であってもよく、隣接セルのネットワーク機器であってもよい。自セル又は隣接セルのビーム測定を行うとき、測定されるビーム数Ｎは、ネットワークを介してユーザ機器に構成される。異なる周波数帯域のセル、ひいては同じ周波数帯域の異なるセル間のビーム数が異なるため、測定されるビーム数を全てのセルに対して統一的に構成することはできない。現在、測定されるビーム数Ｎを構成する最も簡単な方式は、次のとおりである。サービングセルは、自セルの全てのビーム数を知っているため、サービングセルにより自セルのＮ値を直接に構成することができるが、隣接セルの場合は、構成されるＮ値又は隣接セルがサポートするビーム数を隣接セルによりサービングセルに通知し、サービングセルによりインタラクティブ情報に基づいてＮ値を構成する必要がある。隣接セルのＮ値の構成は、以下のような問題が存在する。サービングセルにより隣接セルのＮ値を構成する場合、サービングセルと隣接セルとが情報インタラクションを行い、又はサービングセルがネットワーク管理構成によって隣接セルの構成情報を予め知る必要がある。サービングセルと隣接セルとの間にインターフェースがないため、この構成方式は、適用されない。
【００２４】
上記の問題を解決するために、この案では、ＮとＭとのマッピング関係を予め構成し、Ｎはセル品質を取得するための最大ビーム数であり、Ｍはネットワーク機器により実際に送信されるビーム数であり、その後、ユーザ機器がこのマッピング関係及び／又はＭを取得してＮ値を得ることができ、さらに、Ｎ値を統一的に構成できない問題を解決した。
【００２５】
ユーザ機器が取得するＮとＭとのマッピング関係は、サービングセルのネットワーク機器１２０によりユーザ機器１１０に構成され、又はプロトコルに予め規定されたもの等である。
【００２６】
ここで、ユーザ機器（Ｕｓｅｒ  Ｅｑｕｉｐｍｅｎｔ，ＵＥ）は、ユーザに音声及び／又はデータ接続性を提供する機器、例えば、無線接続機能を具備するハンドヘルド機器、車載機器等である。一般的なユーザ機器は、例えば、携帯電話、タブレットＰＣ、ラップトップ、ＰＤＡ、モバイルインターネット機器（ｍｏｂｉｌｅ  ｉｎｔｅｒｎｅｔ  ｄｅｖｉｃｅ，ＭＩＤ）、及びスマートウォッチ、スマートブレスレット、歩数計等のようなウェアラブル機器を含む。
【００２７】
ここで、ネットワーク機器とは、ネットワーク側のノード機器であり、例えば、ネットワーク機器は、セルラーネットワーク内のアクセスネットワーク側の無線アクセスネットワーク（Ｒａｄｉｏ  Ａｃｃｅｓｓ  Ｎｅｔｗｏｒｋ，ＲＡＮ）機器であってもよく、いわゆるＲＡＮ機器は、すなわちユーザ機器を無線ネットワークにアクセスさせる機器であり、進化型ノードＢ（ｅｖｏｌｖｅｄ  Ｎｏｄｅ  Ｂ，ｅＮＢ）、無線ネットワークコントローラ（ｒａｄｉｏ  ｎｅｔｗｏｒｋ  ｃｏｎｔｒｏｌｌｅｒ，ＲＮＣ）、ノードＢ（Ｎｏｄｅ  Ｂ，ＮＢ）、基地局コントローラ（Ｂａｓｅ  Ｓｔａｔｉｏｎ  Ｃｏｎｔｒｏｌｌｅｒ，ＢＳＣ）、ベーストランシーバ基地局（Ｂａｓｅ  Ｔｒａｎｓｃｅｉｖｅｒ  Ｓｔａｔｉｏｎ，ＢＴＳ）、ホム基地局（例えば、Ｈｏｍｅ  ｅｖｏｌｖｅｄ  ＮｏｄｅＢ、又はＨｏｍｅ  Ｎｏｄｅ  Ｂ，ＨＮＢ）、ベースバンドユニット（ＢａｓｅＢａｎｄ  Ｕｎｉｔ，ＢＢＵ）、管理エンティティー（Ｍｏｂｉｌｉｔｙ  Ｍａｎａｇｅｍｅｎｔ  Ｅｎｔｉｔｙ，ＭＭＥ）を含むがこれらに限定されず、また例えば、ネットワーク機器は、アクセスコントローラ（ａｃｃｅｓｓ  ｃｏｎｔｒｏｌｌｅｒ，ＡＣ）、ゲートウェイ、又はＷＩＦＩアクセスポイント（Ａｃｃｅｓｓ  Ｐｏｉｎｔ，ＡＰ）等のような無線ローカルネットワーク（Ｗｉｒｅｌｅｓｓ  Ｌｏｃａｌ  Ａｒｅａ  Ｎｅｔｗｏｒｋ，ＷＬＡＮ）内のノード機器であってもよい。
【００２８】
以下、図１に示すネットワークアーキテクチャに関連して、本発明の実施例に提供される情報処理方法を詳細に説明する。
【００２９】
図２を参照すると、図２は、本発明の実施例に提供される情報処理方法のフロー模式図であり、前記方法は、下記のステップを含む。
【００３０】
ステップＳ２０１：ネットワーク機器がＮとＭの間に構成されたマッピング関係を送信し、前記Ｎはセル品質を取得するための最大ビーム数であり、前記Ｍは前記ネットワーク機器により実際に送信されるビーム数であり、ここで、前記Ｎ及び前記Ｍは１以上の整数であり、前記Ｍは前記Ｎ以上である。
【００３１】
ステップＳ２０２：ユーザ機器が前記ＮとＭとのマッピング関係を取得し、前記ＮとＭとのマッピング関係及び／又は前記Ｍに基づいて前記Ｎを決定する。
【００３２】
ここで、Ｎはセル品質を取得するための最大ビーム数であり、すなわち、セル品質を取得するために必要な最大ビーム数である。例えば、セル品質を取得するために最大５つのビームが必要である場合、Ｎ＝５である。
【００３３】
また、Ｍがネットワーク機器により実際に送信されるビーム数であることは、ネットワーク機器が位置しているセルが実際にサポートするビームの総数を意味する。例えば、ネットワーク機器が位置しているセルがサポートするビームの総数が１０の場合、Ｍ＝１０である。
【００３４】
一例では、上記のＮとＭとのマッピング関係は１つの表であり、この表に、各Ｍ値に対応するＮ値が記録されており、表１に示すようである。
【表１】
2020528676.tif 000003
【００３５】
一例では、上記のＮとＭとのマッピング関係は１つの表であり、この表に、各Ｍ値範囲に対応するＮ値が記録されており、表２に示すようである。
【表２】
2020528676.tif 000004
【００３６】
一例では、上記のＮとＭとのマッピング関係は１つの式であり、Ｎ＝Ｍ＊Ｘであって、前記Ｘは１より小さくて０より大きく、前記Ｘは前記ネットワーク機器により構成されたものであり、又は前記Ｘは予め約束されたものである。例えば、Ｘ＝０．５、Ｍ＝３０の場合、Ｎ＝６である。
【００３７】
さらに、異なるＭ値に対応するＸは同じである。例えば、Ｍ＝１０、Ｍ＝３０のものとすると、Ｘはいずれも０．５に等しい。
【００３８】
さらに、異なるＭ値範囲に対応するＸは異なる。例えば、Ｍ＝１〜１０のものとすると、Ｘ＝０．６であり、Ｍ＝２０〜３０の場合、Ｘ＝０．５である。
【００３９】
さらに、Ｍ１がＭ２より大きい場合、Ｍ１に対応するＸ値はＭ２に対応するＸ値より小さい。例えば、Ｍ１＝３０のものとすると、Ｘ＝０．５であり、Ｍ２＝１０の場合、Ｘ＝０．６である。
【００４０】
一例では、上記のＮとＭとのマッピング関係は１つの式であり、Ｎ＝Ｍ−Ｙであって、前記Ｙは１以上、且つＭより小さく、前記Ｙは前記ネットワーク機器により構成されたものであり、又は、前記Ｙは予め約束されたものである。例えば、Ｙ＝１０、Ｍ＝３０のものとすると、Ｎ＝５である。
【００４１】
さらに、異なるＭ値に対応するＹは同じである。例えば、Ｍ＝１０、Ｍ＝１５のものとすると、Ｙはいずれも５に等しい。
【００４２】
さらに、異なるＭ値範囲に対応するＹは異なる。例えば、Ｍ＝１〜１０のものとすると、Ｙ＝３であり、Ｍ＝２０〜３０の場合、Ｙ＝１０である。
【００４３】
さらに、Ｍ１がＭ２より大きい場合、Ｍ１に対応するＹ値はＭ２に対応するＹ値より大きい。例えば、Ｍ１＝３０のものとすると、Ｙ＝１０であり、Ｍ２＝１０の場合、Ｙ＝３である。
【００４４】
一例では、上記のＮとＭとのマッピング関係は１つの式であり、Ｎ＝Ｍ／Ｚであって、前記Ｚは１以上、且つＭより小さく、前記Ｚは前記ネットワーク機器により構成されたものであり、又は、前記Ｚは予め約束されたものである。例えば、Ｚ＝３、Ｍ＝３０のものとすると、Ｎ＝１０である。
【００４５】
さらに、異なるＭ値に対応するＺは同じである。例えば、Ｍ＝１０、Ｍ＝２０のものとすると、Ｚはいずれも２に等しい。
【００４６】
さらに、異なるＭ値範囲に対応するＹは異なる。例えば、Ｍ＝１〜１０のものとすると、Ｚ＝２であり、Ｍ＝２０〜３０の場合、Ｚ＝４である。
【００４７】
さらに、Ｍ１がＭ２より大きい場合、Ｍ１に対応するＺ値はＭ２に対応するＺ値より大きい。例えば、Ｍ１＝３０のものとすると、Ｙ＝４であり、Ｍ２＝１０の場合、Ｚ＝２である。
【００４８】
一例では、ＮとＭとのマッピング関係は複数あり、ＮとＭとの各マッピング関係は少なくとも１つの期間に対応し、ＮとＭとのマッピング関係に対応する期間は前記ネットワーク機器により構成されたものであり、又は、ＮとＭとのマッピング関係に対応する期間は予め約束されたものである。
【００４９】
さらに、異なるマッピング関係に対応する期間は互いに交差しない。
【００５０】
例えば、ＮとＭとのマッピング関係が３つあるものとすると、この３つのマッピング関係には、マッピング関係１、マッピング関係２及びマッピング関係３があり、マッピング関係は期間１及び期間２に対応し、マッピング関係２は期間３に対応し、マッピング関係３は期間４に対応する。ここで、期間１、期間２、期間３及び期間４は互いに交差しない。
【００５１】
これから分かるように、異なる期間のセル品質は安定程度が異なるため、期間に従ってＮとＭとの複数のマッピング関係を構成することができ、ユーザ機器は、時間に応じてより適切なマッピング関係を柔軟に選択することができ、さらに、Ｎ値をより柔軟に決定することができる。
【００５２】
なお、上記に記載の具体的な内容は、ＮとＭとのマッピング関係がネットワーク機器によりユーザ機器に構成された場合の詳細な説明であるが、ＮとＭとのマッピング関係がプロトコルに予め規定されている場合にも、上記に記載の具体的な内容が同様に適用され、ここで詳細な説明を省略する。また、以下で説明する幾つかの具体的な実施例は、ＮとＭとのマッピング関係がネットワーク機器によりユーザ機器に構成された場合に適用されるだけでなく、ＮとＭとのマッピング関係がプロトコルに予め規定されている場合にも同様に適用され、ここで詳細な説明を省略する。
【００５３】
一例では、前記方法は、
前記Ｎが得られたことが決定された後、前記ユーザ機器によりセルのビームを測定し、及び最大Ｎ個のビームに対して平均化を行って、前記ネットワーク機器が位置しているセルの品質が得られ、前記最大Ｎ個のビームはいずれもビーム品質閾値を満足するビームであるステップをさらに含む。
【００５４】
具体的に、最大Ｎ個のビームに対して平均化を行い、すなわち、セルの品質を取得するとき、Ｎ個を超えるビームに対して平均化を行ってはならない。例えば、Ｎ＝１０の場合、ユーザ機器は、８つのビームに対して平均化を行ってもよく、９つのビームに対して平均化を行ってもよいが、最大１０個までのビームに対して平均化を行うことができ、１０個以上のビームに対して平均化を行ってはならない。
【００５５】
ここで、上記のビーム品質閾値はネットワーク機器により構成されたものであってもよく、プロトコルに予め規定されたものなどであってもよい。
【００５６】
ここで、ビーム品質閾値を満足するビームは、すなわち、ビーム品質がビーム品質閾値以上のビームである。
【００５７】
例えば、Ｎ＝１０のものとすると、ユーザがセル品質を取得する最大１０個のビームはいずれもビーム品質閾値以上のビームであり、ユーザ機器がこの１０個のビームのうちの８つに対して平均化を行ってから得られるセル品質は、（Ｓｂｅａｍ１＋Ｓｂｅａｍ２＋……＋Ｓｂｅａｍ８）／８に等しいが、ユーザ機器がこの最大１０個のビームに対して平均化を行ってから得られるセル品質は、（Ｓｂｅａｍ１＋Ｓｂｅａｍ２＋……＋Ｓｂｅａｍ１０）／１０に等しい。
【００５８】
また例えば、ユーザ機器が自セルのセル品質を測定する必要がある場合、ユーザ機器はまず、ＮとＭとのマッピング関係を取得する。ＮとＭとのマッピング関係が表２の形式で提示されるものとすると、Ｍの値が既知で、例えばＭ＝３０の場合、ユーザ機器は、Ｍの値に基づいて表２からＮの値が１５であることを決定し、その後、ユーザ機器は、最大１５つのビームを平均して、自セルのセル品質が得られ、例えば、１５つのビームを平均して得られるセル品質＝（Ｓｂｅａｍ１＋Ｓｂｅａｍ２＋……＋Ｓｂｅａｍ１５）／１５である。
【００５９】
これから分かるように、この案では、ＮとＭとのマッピング関係を予め構成し、Ｎはセル品質を取得するための最大ビーム数であり、Ｍはネットワーク機器により実際に送信されるビーム数であり、ユーザ機器は、このマッピング関係及び／又はＭに基づいてＮ値を決定することができ、さらに、Ｎ値を統一的に構成できない問題を解決した。
【００６０】
一例では、ネットワーク機器は、ブロードキャスト情報又は専用シグナリングを送信し、前記ブロードキャスト情報又は前記専用シグナリングに前記ＮとＭとのマッピング関係が含まれており、ユーザ機器は、ネットワーク機器からの前記ブロードキャスト情報又は前記専用シグナリングを受信して、前記ＮとＭとのマッピング関係を得る。
【００６１】
一例では、前記専用シグナリングは、ＲＲＣ再構成シグナリング（ＲＲＣ  Ｒｅｃｏｎｆｉｇｕｒａｔｉｏｎ）を含む。専用シグナリングを採用してＮとＭとのマッピング関係を送信することで、シグナリングのオーバヘッドを節約することができる。
【００６２】
さらに、専用シグナリング内に特定の情報要素（Ｉｎｆｏｒｍａｔｉｏｎ  Ｅｌｅｍｅｎｔ，ＩＥ）を導入することによって、ＮとＭとのマッピング関係をユーザ機器に送信することができる。
【００６３】
一例では、前記方法は、
ネットワーク機器がシステム情報を送信し、前記Ｍは前記システム情報内に含まれるステップと、
ユーザ機器がネットワーク機器からの前記システム情報を受信して、前記システム情報に含まれている前記Ｍを得るステップと、をさらに含む。
【００６４】
一例では、前記システム情報は、共通リソース構成情報（Ｃｏｍｍｏｎ  Ｒｅｓｏｕｒｃｅ  Ｃｏｎｆｉｇｕｒａｔｉｏｎ）を含む。
【００６５】
具体的に、共通リソース構成情報内に１ｂｉｔの情報を１つ設定（又は新規）することができ、この１ｂｉｔの情報はＭの値である。例えば、１ｂｉｔ情報が１０の場合、Ｍ＝１０を意味し、例えば、１ｂｉｔ情報が３０の場合、Ｍ＝３０を意味する。
【００６６】
これから分かるように、現在の５Ｇ／ＮＲシステムでは、ユーザ機器がセルアクセスを行うときに知らなければならない情報は、システム情報を含む。ネットワーク機器は、Ｍをシステム情報を介してユーザ機器に提供することで、スケジューリングシグナリングを節約することができ、また、ユーザ機器がセルアクセスを行うときにＭの値を得ることができる。
【００６７】
一例では、前記方法は、
ネットワーク機器が同期情報を送信し、前記Ｍは前記同期情報内に含まれるステップと、
ユーザ機器がネットワーク機器からの前記同期情報を受信して、前記同期情報内に含まれる前記Ｍを得るステップと、をさらに含む。
【００６８】
具体的に、セルのビーム品質を測定することは、セルサーチを行うためのもので、セルをサーチする目的は、ユーザ機器がシステムの時間同期及び周波数同期を得るように確保するためたので、ユーザ機器のセルサーチ時に、同期情報が節約され、したがって、ネットワーク機器がＭを同期情報を介してユーザ機器に提供することで、スケジューリングシグナリングを節約することができ、また、ユーザ機器が開始するときにＭの値を取得することができる。
【００６９】
なお、ＮとＭとのマッピング関係、Ｘ、Ｙ、Ｚ、異なるマッピング関係に対応する期間、ビーム品質閾値のうちの少なくとも２つが、ネットワーク機器によりユーザ機器に構成されるものとすると、ネットワーク機器は、前記少なくとも２つの情報を直接に一緒にユーザ機器に構成することができ、例えば、ネットワーク機器は、ブロードキャスト情報又は専用シグナリングを介して前記少なくとも２つの情報を直接に一緒にユーザ機器に構成し、又は、ネットワーク機器は、前記少なくとも２つの情報を別個にユーザ機器に構成することができ、例えば、ネットワーク機器は、ブロードキャスト情報を介して前記少なくとも２つの情報のうちの一部の情報をユーザ機器に構成してから、専用シグナリングを介して前記少なくとも２つの情報のうちの残りの部分の情報をユーザ機器に構成する。
【００７０】
図３を参照すると、図３は、本発明の実施例に提供されるユーザ機器３００であり、前記ユーザ機器３００は、１つ又は複数のプロセッサーと、１つ又は複数のメモリと、１つ又は複数の送受信機と、１つ又は複数のプログラムと、を備え、
前記１つ又は複数のプログラムは、前記メモリに格納され、前記１つ又は複数のプロセッサーにより実行されるように構成され、
前記プログラムに、下記のステップを実行するための命令が含まれ、
ＮとＭとのマッピング関係を取得し、前記Ｎはセル品質を取得するための最大ビーム数であり、前記Ｍは前記ネットワーク機器により実際に送信されるビーム数であり、
前記ＮとＭとのマッピング関係に基づいて前記Ｎを決定する。
【００７１】
一例では、ＮとＭとのマッピング関係を取得する態様では、前記プログラムは具体的に、下記のステップの命令を実行するために使用され、
前記ネットワーク機器からのブロードキャスト情報又は専用シグナリングを受信し、前記ブロードキャスト情報又は前記専用シグナリングに前記ＮとＭとのマッピング関係が含まれている。
【００７２】
一例では、前記プログラムはまた、下記のステップの命令を実行するために使用され、
前記ネットワーク機器からのシステム情報を受信し、前記Ｍは前記システム情報内に含まれる。
【００７３】
一例では、前記プログラムはまた、下記のステップの命令を実行するために使用され、
前記ネットワーク機器からの同期情報を受信し、前記Ｍは前記同期情報内に含まれる。
【００７４】
一例では、前記プログラムはまた、下記のステップの命令を実行するために使用され、
前記Ｎが得られたことが決定された後、前記ユーザ機器によりセルのビームを測定し、及び最大Ｎ個のビームに対して平均化を行って、前記ネットワーク機器が位置しているセルの品質が得られ、前記最大Ｎ個のビームはいずれもビーム品質閾値を満足するビームである。
【００７５】
一例では、前記ＮとＭとのマッピング関係は式であり、前記Ｎ＝Ｍ／Ｚであって、前記Ｚは１以上であり、前記Ｚは前記ネットワーク機器により構成されたものである。
【００７６】
一例では、前記ＮとＭとのマッピング関係が複数ある場合、前記ＮとＭとの各マッピング関係は少なくとも１つの期間に対応し、前記ＮとＭとのマッピング関係に対応する期間は前記ネットワーク機器により構成されたものである。
【００７７】
これから分かるように、この案では、ＮとＭとのマッピング関係を予め構成し、Ｎはセル品質を取得するための最大ビーム数であり、Ｍはネットワーク機器により実際に送信されるビーム数であり、ユーザ機器は、このマッピング関係に基づいてＮ値を決定することができ、さらに、Ｎ値を統一的に構成できない問題を解決した。
【００７８】
図４を参照すると、図４は、本発明の実施例に提供されるネットワーク機器４００であり、前記ネットワーク機器４００は、１つ又は複数のプロセッサーと、１つ又は複数のメモリと、１つ又は複数の送受信機と、１つ又は複数のプログラムと、を備え、
前記１つ又は複数のプログラムは、前記メモリに格納され、前記１つ又は複数のプロセッサーにより実行されるように構成され、
前記プログラムに、下記のステップを実行するための命令が含まれ、
ＮとＭの間に構成されたマッピング関係を送信し、前記Ｎは測定されるビーム数であり、前記Ｍは前記ネットワーク機器により実際にサポートされるビーム数であり、前記ＮとＭとのマッピング関係は前記Ｎを決定するために使用される。
【００７９】
一例では、ＮとＭの間に構成されたマッピング関係を送信する態様では、前記プログラムは具体的に、下記のステップの命令を実行するために使用され、
ブロードキャスト情報又は専用シグナリングを送信し、前記ブロードキャスト情報又は前記専用シグナリングに前記ＮとＭとのマッピング関係が含まれている。
【００８０】
一例では、前記プログラムはまた、下記のステップの命令を実行するために使用され、
システム情報を送信し、前記Ｍは前記システム情報内に含まれる。
【００８１】
一例では、前記プログラムはまた、下記のステップの命令を実行するために使用され、
同期情報を送信し、前記Ｍは前記同期情報内に含まれる。
【００８２】
一例では、前記ＮとＭとのマッピング関係は式であり、前記Ｎ＝Ｍ／Ｚであって、前記Ｚは１以上であり、前記Ｚは前記ネットワーク機器により構成されたものである。
【００８３】
一例では、前記ＮとＭとのマッピング関係が複数ある場合、前記ＮとＭとの各マッピング関係は、少なくとも１つの期間に対応し、前記ＮとＭとのマッピング関係に対応する期間は、前記ネットワーク機器により構成されたものである。
【００８４】
これから分かるように、この案では、ＮとＭとのマッピング関係を予め構成し、Ｎはセル品質を取得するための最大ビーム数であり、Ｍはネットワーク機器により実際に送信されるビーム数であり、ユーザ機器は、このマッピング関係に基づいてＮ値を決定することができ、さらに、Ｎ値を統一的に構成できない問題を解決した。
【００８５】
図５を参照すると、図５は、本実施例に提供されるユーザ機器５００の構造模式図である。このユーザ機器５００は、処理ユニット５０１、通信ユニット５０２及び記憶ユニット５０３を備え、ここで、
前記処理ユニット５０１は、ＮとＭとのマッピング関係を取得するために使用され、前記Ｎはセル品質を取得するための最大ビーム数であり、前記Ｍは前記ネットワーク機器により実際に送信されるビーム数であり、前記ＮとＭとのマッピング関係に基づいて前記Ｎを決定するために使用される。
【００８６】
ここで、処理ユニット５０１は、プロセッサー又はコントローラであってもよい（例えば、中央処理装置（Ｃｅｎｔｒａｌ  Ｐｒｏｃｅｓｓｉｎｇ  Ｕｎｉｔ，ＣＰＵ）、汎用プロセッサー、デジタル信号プロセッサー（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブル論理デバイス、トランジスタ論理デバイス、ハードウェア部品又はそれらの任意の組み合わせであってもよい。これにより、本発明に開示された内容に関連して説明されている様々な例示的な論理ブロック、モジュール及び回路を実現又は実行することができる。前記プロセッサーはまた、計算機能を実現する組み合わせであってもよく、例えば、１つ又は複数のマイクロプロセッサーの組み合わせ、ＤＳＰ及びマイクロプロセッサーの組み合わせ等を含む）。通信ユニット５０２は、送受信機、送受信回路、無線周波数チップ、通信インターフェース等であってもよく、記憶ユニット５０３は、メモリであってもよい。
【００８７】
処理ユニット５０１がプロセッサーであって、通信ユニット５０２が通信インターフェースであり、記憶ユニット５０３がメモリである場合、本発明の実施例に係るユーザ機器は、図３に示すユーザ機器であってもよい。
【００８８】
図６を参照すると、図６は、本実施例に提供されるネットワーク機器６００の構造模式図である。このネットワーク機器６００は、処理ユニット６０１、通信ユニット６０２及び記憶ユニット６０３を備え、ここで、
前記処理ユニット６０１は、前記通信ユニット６０２によってＮとＭの間に構成されたマッピング関係を送信するために使用され、前記Ｎは測定されるビーム数であり、前記Ｍは前記ネットワーク機器により実際にサポートされるビーム数であり、前記ＮとＭとのマッピング関係は前記Ｎを決定するために使用される。
【００８９】
ここで、処理ユニット６０１は、プロセッサー又はコントローラであってもよい（例えば、中央処理装置（Ｃｅｎｔｒａｌ  Ｐｒｏｃｅｓｓｉｎｇ  Ｕｎｉｔ，ＣＰＵ）、汎用プロセッサー、デジタル信号プロセッサー（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブル論理デバイス、トランジスタ論理デバイス、ハードウェア部品又はそれらの任意の組み合わせであってもよい。これにより、本発明に開示された内容に関連して説明された様々な例示的な論理ブロック、モジュール及び回路を実現又は実行することができる。前記プロセッサーはまた、計算機能を実現する組み合わせであってもよく、例えば、１つ又は複数のマイクロプロセッサー組み合わせ、ＤＳＰ及びマイクロプロセッサーの組み合わせ等を含む）。通信ユニット６０２は、送受信機、送受信回路、無線周波数チップ、通信インターフェース等であってもよく、記憶ユニット６０３は、メモリであってもよい。
【００９０】
処理ユニット６０１がプロセッサーであって、通信ユニット６０２が通信インターフェースであり、記憶ユニット６０３がメモリである場合、本発明の実施例に係るネットワーク機器は、図４に示すネットワーク機器であってもよい。
【００９１】
本発明の実施例によれば、別のユーザ機器がさらに提供され、図７に示すように、説明の便宜上、本発明の実施例に関連する部分のみ提示され、開示されていない具体的な技術的詳細は、本発明の実施例に係る方法の部分を参照ください。このユーザ機器は、携帯電話、タブレット、ＰＤＡ（Ｐｅｒｓｏｎａｌ  Ｄｉｇｉｔａｌ  Ａｓｓｉｓｔａｎｔ、携帯情報端末）、ＰＯＳ（Ｐｏｉｎｔ  ｏｆ  Ｓａｌｅｓ、販売端末）、車載パソコン等の任意のユーザ機器を含んでもよく、ユーザ機器が携帯電話の場合を例として、
図７は、本発明の実施例に提供されるユーザ機器に関連する携帯電話の部分的な構造を示すブロック図である。図７を参照すると、携帯電話は、無線周波数（Ｒａｄｉｏ  Ｆｒｅｑｕｅｎｃｙ，ＲＦ）回路９１０、メモリ９２０、入力ユニット９３０、表示ユニット９４０、センサー９５０、オーディオ回路９６０、ワイヤレスフィデリティ（Ｗｉｒｅｌｅｓｓ  Ｆｉｄｅｌｉｔｙ，ＷｉＦｉ）モジュール９７０、プロセッサー９８０、及び電源９９０等の部品を備える。当業者であれば、図７に示す携帯電話の構造は、携帯電話に対する限定を構成せず、図示されるものより多い又は少ない部品、幾つかの部品の組み合わせ、又は異なる部品配置を含んでもよいことが理解されるであろう。
【００９２】
以下、図７に関連して携帯電話の各部品を詳細に説明する。
【００９３】
ＲＦ回路９１０は、情報の送受信に使用されることができる。通常、ＲＦ回路９１０は、アンテナ、少なくとも１つの増幅器、送受信機、カプラ、低雑音増幅器（Ｌｏｗ  Ｎｏｉｓｅ  Ａｍｐｌｉｆｉｅｒ，ＬＮＡ）、デュプレクサ等を含むがこれらに限定されない。さらに、ＲＦ回路９１０はまた、無線通信を介してネットワーク及び他の機器と通信することができる。上記の無線通信は、いずれかの通信標準又はプロトコルを使用することができ、グローバルモバイル通信システム（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）、汎用パケット無線サービス（Ｇｅｎｅｒａｌ  Ｐａｃｋｅｔ  Ｒａｄｉｏ  Ｓｅｒｖｉｃｅ，ＧＰＲＳ）、符号分割多元接続（Ｃｏｄｅ  Ｄｉｖｉｓｉｏｎ  Ｍｕｌｔｉｐｌｅ  Ａｃｃｅｓｓ，ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）、ロングタームエボリューション（Ｌｏｎｇ  Ｔｅｒｍ  Ｅｖｏｌｕｔｉｏｎ，ＬＴＥ）、電子メール、ショートメッセージングサービス（Ｓｈｏｒｔ  Ｍｅｓｓａｇｉｎｇ  Ｓｅｒｖｉｃｅ，ＳＭＳ）等を含むがこれらに限定されない。
【００９４】
メモリ９２０は、ソフトウェアプログラム及びモジュールを格納するために使用されることができ、プロセッサー９８０は、メモリ９２０に格納されたソフトウェアプログラム及びモジュールを実行することにより、携帯電話の様々な機能アプリケーション及びデータ処理を実行する。メモリ９２０は主に、プログラム格納領域及びデータ格納領域を含むことができ、ここで、プログラム格納領域は、オペレーティングシステム、少なくとも１つの機能に必要なアプリケーション等を格納することができ、データ格納領域は、携帯電話の使用に応じて作成されたデータ等を格納することができる。さらに、メモリ９２０は、高速ランダムアクセスメモリを含んでもよく、また、不揮発性メモリ、例えば、少なくとも１つの磁気ディスク記憶装置、フラッシュメモリデバイス、又は他の揮発性固体記憶装置を含んでもよい。
【００９５】
入力ユニット９３０は、入力された数字又は文字情報を受信し、及び携帯電話のユーザ設定及び機能制御に関連するキー信号の入力を生成するために使用される。具体的に、入力ユニット９３０は、指紋認識モジュール９３１及び他の入力機器９３２を備えてもよい。指紋認識モジュール９３１は、その上のユーザの指紋データを収集することができる。指紋認識モジュール９３１以外に、入力ユニット９３０は、他の入力機器９３２をさらに含んでもよい。具体的に、他の入力機器９３２は、タッチスクリーン、物理キーボード、機能キー（例えば、ボリューム制御ボタン、スイッチボタン等）、トラックボール、マウス、ジョイスティック等のうちの１つ又は複数を含むがこれらに限定されない。
【００９６】
表示ユニット９４０は、ユーザにより入力された情報、ユーザに提供する情報又は携帯電話の様々なメニューを表示するために使用されることができる。表示ユニット９４０は、スクリーン９４１を備えてもよく、選択的に、液晶ディスプレイ（Ｌｉｑｕｉｄ  Ｃｒｙｓｔａｌ  Ｄｉｓｐｌａｙ，ＬＣＤ）、有機発光ダイオード（Ｏｒｇａｎｉｃ  Ｌｉｇｈｔ−Ｅｍｉｔｔｉｎｇ  Ｄｉｏｄｅ，ＯＬＥＤ）等の形式でスクリーン９４１を構成することができる。図７では、指紋認識モジュール９３１とスクリーン９４１とは２つの独立した部品として携帯電話の入力及び入力機能を実現しているが、幾つかの実施例では、指紋認識モジュール９３１とスクリーン９４１とを統合して携帯電話の入力及び再生機能を実現することができる。
【００９７】
携帯電話はまた、光センサー、モーションセンサー及び他のセンサーのような少なくとも１つのセンサー９５０を備えてもよい。具体的に、光センサーは、環境光センサー及び近接センサーを含んでもよく、ここで、環境光センサーは、環境光の明暗に応じてスクリーン９４１の輝度を調節することができ、近接センサーは、携帯電話が耳元まで移動したときに、スクリーン９４１及び／又はバックライトをオフすることができる。モーションセンサーの一種として、加速度計センサーは、各方向（通常は３軸）の加速度の大きさを検出することができ、静止しているときに重力の大きさ及び方向を検出することができ、携帯電話の姿勢を認識するアプリケーション（例えば、縦／横画面の切り替え、関連ゲーム、磁力計の姿勢較正）、振動認識関連機能（例えば、歩数計、タッピング）等に使用されることができ、携帯電話にさらに構成されうるジャイロスコープ、気圧計、湿度計、温度計、赤外線センサー等の他のセンサーについては、ここで詳細な説明を省略する。
【００９８】
オーディオ回路９６０、スピーカー９６１、マイクロホン９６２は、ユーザと携帯電話との間のオーディオインターフェースを提供することができる。オーディオ回路９６０は、受信されたオーディオデータの変換された電気信号を、スピーカー９６１に伝送し、スピーカー９６１により音声信号に変換して再生することができ、一方、マイクロホン９６２は、収集された音声信号を電気信号に変換し、オーディオ回路９６０により受信してからオーディオデータに変換し、オーディオデータを再生してプロセッサー９８０により処理した後、ＲＦ回路９１０を介して、例えば別の携帯電話に伝送し、又は、オーディオデータをメモリ９２０で再生して、さらに処理する。
【００９９】
ＷｉＦｉは、近距離無線伝送技術に属し、携帯電話は、ＷｉＦｉモジュール９７０を介して、ユーザの電子メールの送受信、ウェブページの閲覧及びストリーミングメディアのアクセス等を支援することができ、ユーザのために無線広帯域インターネットアクセスを提供した。図７では、ＷｉＦｉモジュール９７０を示しているが、それが携帯電話の必要な構成に属しておらず、発明の本質を変更しない範囲内で必要に応じて十分に省略できることを理解されたい。
【０１００】
プロセッサー９８０は、携帯電話の制御センターであり、様々なインターフェース及びラインを使用して携帯電話全体の各部分を接続し、メモリ９２０に格納されているソフトウェアプログラム及び／又はモジュールを実行し、及びメモリ９２０に格納されているデータを呼び出すことによって、携帯電話の様々な機能及び処理データを実行して、携帯電話に対して全体的な監視を行う。選択的に、プロセッサー９８０は、１つ又は複数の処理ユニットを備えてもよく、好ましくは、プロセッサー９８０に、アプリケーションプロセッサー及びモデムプロセッサーが集積されてもよく、ここで、アプリケーションプロセッサーは主に、オペレーティングシステム、ユーザインターフェース及びアプリケーション等を処理し、モデムプロセッサーは主に、無線通信を処理する。上記のモデムプロセッサーは、プロセッサー９８０に集積されなくてもよいことを理解されたい。
【０１０１】
携帯電話はまた、各部品に電力を供給する電源９９０（例えば、バッテリー）を備えてもよく、好ましくは、電源は、電源管理システムを介してプロセッサー９８０と論理的に接続されて、電源管理システムを介して充電、放電の管理、及び電力消費の管理等の機能を実現してもよい。
【０１０２】
図示されていないが、携帯電話はまた、カメラ、ブルートゥースモジュール等を備えてもよく、ここで詳細な説明を省略する。
【０１０３】
前述の図２に示す実施例では、各ステップの方法におけるユーザ機器側のフローは、この携帯電話の構造に基づいて実現されることができる。
【０１０４】
前述の図５に示す実施例では、各ユニット機能は、この携帯電話の構造に基づいて実現されることができる。
【０１０５】
本発明の実施例は、コンピュータ読み取り可能な記録媒体をさらに提供し、ここで、前記コンピュータ読み取り可能な記録媒体に、電子データ交換のためのコンピュータプログラムが格納され、ここで、前記コンピュータプログラムにより、コンピュータに上記の方法の実施例におけるユーザ機器側で記載されたステップの一部又は全部を実行させる。
【０１０６】
本発明の実施例は、コンピュータ読み取り可能な記録媒体をさらに提供し、ここで、前記コンピュータ読み取り可能な記録媒体に、電子データ交換のためのコンピュータプログラムが格納され、ここで、前記コンピュータプログラムにより、コンピュータに上記の方法の実施例におけるネットワーク機器側で記載されたステップの一部又は全部を実行させる。
【０１０７】
本発明の実施例は、コンピュータプログラム製品をさらに提供し、ここで、前記コンピュータプログラム製品は、コンピュータプログラムが格納された非一時的コンピュータ読み取り可能な記録媒体を含み、前記コンピュータプログラムは、コンピュータが上記の方法におけるユーザ機器側で記載されたステップの一部又は全部を実行するように動作することができる。このコンピュータプログラム製品は、１つのソフトウェアインストールパッケージであってもよい。
【０１０８】
本発明の実施例は、コンピュータプログラム製品をさらに提供し、ここで、前記コンピュータプログラム製品は、コンピュータプログラムが格納された非一時的コンピュータ読み取り可能な記録媒体を含み、前記コンピュータプログラムは、コンピュータが上記の方法の実施例におけるネットワーク機器側で記載されたステップの一部又は全部を実行するように動作することができる。このコンピュータプログラム製品は、１つのソフトウェアインストールパッケージであってもよい。
【０１０９】
本発明の実施例で説明している方法又はアルゴリズムのステップは、ハードウェアの方式で実現されてもよく、プロセッサーによりソフトウェア命令を実行する方式で実現されてもよい。ソフトウェア命令は、対応するソフトウェアモジュールにより構成されてもよく、ソフトウェアモジュールは、ランダムアクセスメモリ（Ｒａｎｄｏｍ  Ａｃｃｅｓｓ  Ｍｅｍｏｒｙ，ＲＡＭ）、フラッシュメモリ、読み取り専用メモリ（Ｒｅａｄ  Ｏｎｌｙ  Ｍｅｍｏｒｙ，ＲＯＭ）、消去可能なプログラマブル読み取り専用メモリ（Ｅｒａｓａｂｌｅ  Ｐｒｏｇｒａｍｍａｂｌｅ  ＲＯＭ，ＥＰＲＯＭ）、電気的に消去可能なプログラマブル読み取り専用メモリ（Ｅｌｅｃｔｒｉｃａｌｌｙ  ＥＰＲＯＭ，ＥＥＰＲＯＭ）、レジスタ、ハードディスク、リムーバブルハードディスク、読取り専用ディスク（ＣＤ−ＲＯＭ）又は当技術分野で知られている任意の他の形式の記録媒体に格納されてもよい。一例示的な記録媒体がプロセッサーに結合されることで、プロセッサーがこの記録媒体から情報を読み取り、且つこの記録媒体に情報を書き込むことができる。もちろん、記録媒体はまた、プロセッサーの構成要素であってもよい。プロセッサー及び記録媒体は、ＡＳＩＣに存在してもよい。また、このＡＳＩＣは、アクセスネットワーク機器、ターゲットネットワーク機器又はコアネットワーク機器に存在してもよい。もちろん、プロセッサー及び記録媒体はまた、ディスクリート構成要素としてアクセスネットワーク機器、ターゲットネットワーク機器又はコアネットワーク機器に存在してもよい。
【０１１０】
当業者であれば、上記の１つ又は複数の例において、本発明の実施例で説明されている機能が全部又は部分的にソフトウェア、ハードウェア、ファームウェア又はそれらの任意の組み合わせで実現されうることが認識されるであろう。ソフトウェアを使用して実現する場合、全部又は部分的にコンピュータプログラム製品の形式で実現することができる。前記コンピュータプログラム製品は、１つ又は複数のコンピュータ命令を含む。コンピュータに前記コンピュータプログラム命令をロード及び実行するとき、本発明の実施例で説明されるようなフロー又は機能が全部又は部分的に生成される。前記コンピュータは、汎用コンピュータ、専用コンピュータ、コンピュータネットワーク、又は他のプログラマブル装置であってもよい。前記コンピュータ命令は、コンピュータ読み取り可能な記録媒体に格納されてもよく、又は１つのコンピュータ読み取り可能な記録媒体から別のコンピュータ読み取り可能な記録媒体へ伝送されてもよく、例えば、前記コンピュータ命令は、１つのウェブサイト、コンピュータ、サーバー又はデータセンターから有線（例えば、同軸ケーブル、光ファイバー、デジタル加入者線（Ｄｉｇｉｔａｌ  Ｓｕｂｓｃｒｉｂｅｒ  Ｌｉｎｅ，ＤＳＬ））又は無線（例えば、赤外線、無線、マイクロ波等）の方式で別のウェブサイト、コンピュータ、サーバー又はデータセンターへ伝送されることができる。前記コンピュータ読み取り可能な記録媒体は、コンピュータアクセス可能な任意の利用可能な媒体、又は１つ又は複数の利用可能な媒体の統合を含むサーバー、データセンター等のデータ記憶機器であってもよい。前記利用可能な媒体は、磁気媒体（例えば、フロッピーディスク、ハードディスク、磁気テープ）、光学媒体（例えば、デジタルビデオディスク（Ｄｉｇｉｔａｌ  Ｖｉｄｅｏ  Ｄｉｓｃ，ＤＶＤ））、又は半導体媒体（例えば、固体ハードディスク（Ｓｏｌｉｄ  Ｓｔａｔｅ  Ｄｉｓｋ，ＳＳＤ））等であってもよい。
【０１１１】
以上のような具体的な実施形態は、本発明の実施例の目的、技術手段及び有益な効果をさらに詳細に説明しており、以上は、本発明の実施例の具体的な実施形態にすぎず、本発明の実施例の範囲を限定せず、本発明の実施例の技術手段に基づいて行われた任意の変更、等価的置換、改善等は、いずれも本発明の実施例の範囲内に含まれることが理解されるべきである。
【図１】
2020528676.tif 000005
【図２】
2020528676.tif 000006
【図３】
2020528676.tif 000007
【図４】
2020528676.tif 000008
【図５】
2020528676.tif 000009
【図６】
2020528676.tif 000010
【図７】
2020528676.tif 000011
【手続補正書】
【提出日】令和2年5月11日(2020.5.11)
【手続補正１】
【補正対象書類名】明細書
【補正対象項目名】００４７
【補正方法】変更
【補正の内容】
【００４７】
さらに、Ｍ１がＭ２より大きい場合、Ｍ１に対応するＺ値はＭ２に対応するＺ値より大きい。例えば、Ｍ１＝３０のものとすると、Ｚ＝４であり、Ｍ２＝１０の場合、Ｚ＝２である。
【手続補正２】
【補正対象書類名】明細書
【補正対象項目名】００５０
【補正方法】変更
【補正の内容】
【００５０】
例えば、ＮとＭとのマッピング関係が３つあるものとすると、この３つのマッピング関係には、マッピング関係１、マッピング関係２及びマッピング関係３があり、マッピング関係１は期間１及び期間２に対応し、マッピング関係２は期間３に対応し、マッピング関係３は期間４に対応する。ここで、期間１、期間２、期間３及び期間４は互いに交差しない。
【手続補正３】
【補正対象書類名】明細書
【補正対象項目名】００９６
【補正方法】変更
【補正の内容】
【００９６】
表示ユニット９４０は、ユーザにより入力された情報、ユーザに提供する情報又は携帯電話の様々なメニューを表示するために使用されることができる。表示ユニット９４０は、スクリーン９４１を備えてもよく、選択的に、液晶ディスプレイ（Ｌｉｑｕｉｄ  Ｃｒｙｓｔａｌ  Ｄｉｓｐｌａｙ，ＬＣＤ）、有機発光ダイオード（Ｏｒｇａｎｉｃ  Ｌｉｇｈｔ−Ｅｍｉｔｔｉｎｇ  Ｄｉｏｄｅ，ＯＬＥＤ）等の形式でスクリーン９４１を構成することができる。図７では、指紋認識モジュール９３１とスクリーン９４１とは２つの独立した部品として携帯電話の入力及び出力機能を実現しているが、幾つかの実施例では、指紋認識モジュール９３１とスクリーン９４１とを統合して携帯電話の入力及び再生機能を実現することができる。
【手続補正４】
【補正対象書類名】特許請求の範囲
【補正対象項目名】全文
【補正方法】変更
【補正の内容】
【特許請求の範囲】
【請求項１】
ユーザ機器がＮとＭとのマッピング関係を取得し、前記Ｎはセル品質を取得するための最大ビーム数であり、前記Ｍはネットワーク機器により実際に送信されるビーム数であるステップと、
前記ユーザ機器が前記ＮとＭとのマッピング関係及び／又は前記Ｍに基づいて前記Ｎを決定するステップと、を含む
ことを特徴とする情報処理方法。
【請求項２】
前記ユーザ機器がＮとＭとのマッピング関係を取得するステップは、
前記ユーザ機器が前記ネットワーク機器からのブロードキャスト情報又は専用シグナリングを受信し、前記ブロードキャスト情報又は前記専用シグナリングに前記ＮとＭとのマッピング関係が含まれているステップを含む
ことを特徴とする請求項１に記載の方法。
【請求項３】
前記ユーザ機器が前記ネットワーク機器からのシステム情報を受信し、前記Ｍは前記システム情報内に含まれるステップをさらに含む
ことを特徴とする請求項１又は２に記載の方法。
【請求項４】
前記ユーザ機器が前記ネットワーク機器からの同期情報を受信し、前記Ｍは前記同期情報内に含まれるステップをさらに含む
ことを特徴とする請求項１又は２に記載の方法。
【請求項５】
前記Ｎが得られたことが決定された後、前記ユーザ機器によりセルのビームを測定し、及び最大Ｎ個のビームに対して平均化を行って、前記ネットワーク機器が位置しているセルの品質が得られ、前記最大Ｎ個のビームはいずれもビーム品質閾値を満足するビームであるステップをさらに含む
ことを特徴とする請求項４に記載の方法。
【請求項６】
前記ＮとＭとのマッピング関係は式であり、前記Ｎ＝Ｍ／Ｚであって、前記Ｚは１以上であり、前記Ｚは前記ネットワーク機器により構成されたものである
ことを特徴とする請求項１〜５のいずれか１項に記載の方法。
【請求項７】
前記ＮとＭとのマッピング関係が複数ある場合、前記ＮとＭとの各マッピング関係は少なくとも１つの期間に対応し、前記ＮとＭとのマッピング関係に対応する期間は前記ネットワーク機器により構成されたものである
ことを特徴とする請求項１〜６のいずれか１項に記載の方法。
【請求項８】
前記ＮとＭとのマッピング関係は、各Ｍ値または各Ｍ値範囲に対応するＮ値が記録される表に対応する
ことを特徴とする請求項１に記載の方法。
【請求項９】
前記専用シグナリングは、前記ＮとＭとのマッピング関係を前記ユーザ機器に送信するために使用される特定の情報要素を含む
ことを特徴とする請求項２に記載の方法。
【請求項１０】
前記システム情報は、共通リソース構成情報を含む
ことを特徴とする請求項３に記載の方法。
【請求項１１】
前記ビーム品質閾値は、前記ネットワーク機器により構成され、または前記プロトコルに予め規定される
ことを特徴とする請求項５に記載の方法。
【請求項１２】
異なるマッピング関係に対応する期間は互いに交差しない
ことを特徴とする請求項７に記載の方法。
【請求項１３】
処理ユニットを備え、ここで、
前記処理ユニットは、ＮとＭとのマッピング関係を取得するために使用され、前記Ｎはセル品質を取得するための最大ビーム数であり、前記Ｍは前記ネットワーク機器により実際に送信されるビーム数であり、前記ＮとＭとのマッピング関係及び／又は前記Ｍに基づいて前記Ｎを決定するために使用される
ことを特徴とするユーザ機器。
【請求項１４】
１つ又は複数のプロセッサーと、１つ又は複数のメモリと、１つ又は複数の送受信機と、１つ又は複数のプログラムと、を備え、
前記１つ又は複数のプログラムは、前記メモリに格納され、前記１つ又は複数のプロセッサーにより実行されるように構成され、
前記プログラムは、請求項１〜１２のいずれか１項に記載の方法におけるステップを実行するための命令を含む
ことを特徴とするユーザ機器。
【国際調査報告】
2020528676.tif 000012
2020528676.tif 000013
2020528676.tif 000014
2020528676.tif 000015